(57)【要約】【課題】印刷媒体の両面に印刷される画像に関するプレビュー画面を表示する場合に、印刷媒体の両面に画像が印刷されることを反映した適切な態様でプレビュー画面を表示できるようにする。【解決手段】印刷装置３により印刷媒体に印刷させる画像のプレビュー画面を表示させる制御装置制御部１０を備え、制御装置制御部１０は、印刷媒体の第１面におけるページ画像の位置と、印刷媒体の第２面におけるページ画像の位置との位置関係が明示された態様で、第１面における１又は複数のページ画像と、第２面における１又は複数のページ画像とを含むプレビュー画面を表示させると共に、第１面におけるページ画像間の空白領域の位置と、第２面におけるページ画像間の空白領域の位置とが対応するように、第１面におけるページ画像の位置と、第２面におけるページ画像の位置とを調整する。【選択図】図１
2018154094.tif 000002
【特許請求の範囲】
【請求項１】
印刷装置により印刷媒体に印刷させる画像のプレビュー画面を表示させる制御部を備え、
前記制御部は、
印刷媒体の第１面におけるページ画像の位置と、印刷媒体の第２面におけるページ画像の位置との位置関係が明示された態様で、第１面における１又は複数のページ画像と、第２面における１又は複数のページ画像とを含むプレビュー画面を表示させると共に、
第１面におけるページ画像間の空白領域の位置と、第２面におけるページ画像間の空白領域の位置とが対応するように、第１面におけるページ画像の位置と、第２面におけるページ画像の位置とを調整する
制御装置。
【請求項２】
前記制御部は、
プレビュー画面に表示するページ画像として選択された複数のページ画像を、第１面、又は、第２面に振り分け、第１面、及び、第２面におけるページ画像の位置を調整する
請求項１に記載の制御装置。
【請求項３】
前記制御部は、
第１面におけるページ画像と、第２面におけるページ画像とが一対一の関係となるように、第１面、及び、第２面におけるページ画像の位置を調整する
請求項２に記載の制御装置。
【請求項４】
前記制御部は、
空白領域に対応する位置に、ページ画像間の境界を示す画像を表示させる請求項１から３のいずれか１項に記載の制御装置。
【請求項５】
前記制御部は、
ページ画像の第１面と第２面との間の移動を含むページ画像の変更を許容する態様で、ページ画像を表示する請求項１から４のいずれか１項に記載の制御装置。
【請求項６】
前記制御部は、
第１面におけるページ画像と、第２面におけるページ画像とが重ねて表示された重畳プレビュー画面の態様で、第１面と第２面のページ画像の位置関係を明示的に表示させる請求項１から５のいずれか１項に記載の制御装置。
【請求項７】
第１面と第２面の少なくともいずれかの面のページ画像を透過させて表示させる請求項６に記載の制御装置。
【請求項８】
制御装置の制御部により実行可能なプログラムであって、
前記制御部に、
印刷装置により印刷媒体に印刷させる画像のプレビュー画面であって、印刷媒体の第１面におけるページ画像と、印刷媒体の第２面におけるページ画像との位置関係が明示された態様で、第１面における１又は複数のページ画像と、第２面における１又は複数のページ画像とを含むプレビュー画面を表示させると共に、
第１面におけるページ画像間の空白領域の位置と、第２面におけるページ画像間の空白領域の位置とが対応するように、第１面におけるページ画像の位置と、第２面におけるページ画像の位置とを調整させる
プログラム。
【請求項９】
前記制御部に、
プレビュー画面に表示するページ画像として選択された複数のページ画像を、第１面、又は、第２面に振り分けさせ、第１面、及び、第２面におけるページ画像の位置を調整させる
請求項８に記載のプログラム。
【請求項１０】
前記制御部に、
第１面におけるページ画像と、第２面におけるページ画像とが一対一の関係となるように、第１面、及び、第２面におけるページ画像の位置を調整させる
請求項９に記載のプログラム。
【請求項１１】
前記制御部に、
空白領域に対応する位置に、ページ画像間の境界を示す画像を表示させる請求項８から１０のいずれか１項に記載のプログラム。
【請求項１２】
前記制御部に、
ページ画像の第１面と第２面との間の移動を含むページ画像の変更を許容する態様で、ページ画像を表示させる請求項８から１１のいずれか１項に記載のプログラム。
【請求項１３】
前記制御部に、
第１面におけるページ画像と、第２面におけるページ画像とが重ねて表示された重畳プレビュー画面の態様で、第１面と第２面のページ画像の位置関係を明示的に表示させる請求項８から１２いずれか１項に記載のプログラム。
【請求項１４】
第１面と第２面の少なくともいずれかの面のページ画像を透過させて表示させる請求項１３に記載のプログラム。
【発明の詳細な説明】
【技術分野】
【０００１】
本発明は、制御装置、及び、プログラムに関する。
【背景技術】
【０００２】
従来、印刷装置に印刷させる画像のプレビュー画面を表示させる制御装置（情報処理装置）が知られている（例えば、特許文献１参照）。
また、一般に、印刷装置を用いて印刷媒体の両面に印刷することが行われている。
【先行技術文献】
【特許文献】
【０００３】
【特許文献１】特開２０１６−２６３４１号公報
【発明の概要】
【発明が解決しようとする課題】
【０００４】
印刷装置を用いて印刷媒体の両面に画像を印刷する場合において、制御装置がプレビュー画面を表示させる場合、印刷媒体の両面に画像が印刷されることを反映した適切な態様でプレビュー画面を表示することが求められる。
本発明は、上述した事情に鑑みてなされたものであり、印刷媒体の両面に印刷される画像に関するプレビュー画面を表示する場合に、印刷媒体の両面に画像が印刷されることを反映した適切な態様でプレビュー画面を表示できるようにすることを目的とする。
【課題を解決するための手段】
【０００５】
上記目的を達成するために、本発明の制御装置は、印刷装置により印刷媒体に印刷させる画像のプレビュー画面を表示させる制御部を備え、前記制御部は、印刷媒体の第１面におけるページ画像の位置と、印刷媒体の第２面におけるページ画像の位置との位置関係が明示された態様で、第１面における１又は複数のページ画像と、第２面における１又は複数のページ画像とを含むプレビュー画面を表示させると共に、第１面におけるページ画像間の空白領域の位置と、第２面におけるページ画像間の空白領域の位置とが対応するように、第１面におけるページ画像の位置と、第２面におけるページ画像の位置とを調整する。
この構成によれば、ユーザーは、プレビュー画面を参照することにより、第１面におけるページ画像と、第２面におけるページ画像との位置関係を的確に把握できる。また、上記構成によれば、制御部により、第１面におけるページ画像とページ画像との間の空白領域の位置と、第２面におけるページ画像とページ画像との間の空白領域の位置とが対応するように、第１面におけるページ画像の位置と、第２面におけるページ画像の位置とが調整されるため、プレビュー画面には、第１面と第２面との双方の面に印刷が行われることを踏まえた適切な位置にページ画像のそれぞれが配置された状態となる。すなわち、上記構成によれば、制御部は、印刷媒体の両面に印刷される画像に関するプレビュー画面を表示する場合に、印刷媒体の両面に画像が印刷されることを反映した適切な態様でプレビュー画面を表示できる。
【０００６】
また、本発明は、前記制御部は、プレビュー画面に表示するページ画像として選択された複数のページ画像を、第１面、又は、第２面に振り分け、第１面、及び、第２面におけるページ画像の位置を調整する。
この構成によれば、制御部により、プレビュー画面に表示するページ画像として選択された複数のページ画像が、第１面、又は、第２面に振り分けられた上で、プレビュー画面が表示される。このため、プレビュー画面を、第１面と、第２面との双方の面にページ画像の印刷が行われることを踏まえた適切な画面とすることができる。
【０００７】
また、本発明は、前記制御部は、第１面におけるページ画像と、第２面におけるページ画像とが一対一の関係となるように、第１面、及び、第２面におけるページ画像の位置を調整する。
この構成によれば、制御部により、第１面におけるページ画像と、第２面におけるページ画像とが一対一の関係となるように、第１面、及び、第２面におけるページ画像の位置が調整された上で、プレビュー画面が表示される。このため、プレビュー画面を、第１面と、第２面との双方の面にページ画像の印刷が行われることを踏まえた適切な画面とすることができる。
【０００８】
また、本発明は、前記制御部は、空白領域に対応する位置に、ページ画像間の境界を示す画像を表示させる。
この構成によれば、ユーザーは、プレビュー画面を参照することにより、第１面における空白領域と第２面における空白領域との位置関係を的確に認識できる。
【０００９】
また、本発明は、前記制御部は、ページ画像の第１面と第２面との間の移動を含むページ画像の変更を許容する態様で、ページ画像を表示する。
この構成によれば、ユーザーは、ページ画像を第１面に印刷するか第２面に印刷するかの調整を含め、ページ画像の態様の調整を行うことができる。
【００１０】
また、本発明は、前記制御部は、第１面におけるページ画像と、第２面におけるページ画像とが重ねて表示された重畳プレビュー画面の態様で、第１面と第２面のページ画像の位置関係を明示的に表示させる。
この構成によれば、ユーザーは、重畳プレビュー画面を参照することにより、より的確に、第１面におけるページ画像と、第２面におけるページ画像との位置関係を認識できる。
【００１１】
また、本発明は、第１面と第２面の少なくともいずれかの面のページ画像を透過させて表示させる。
この構成によれば、ユーザーは、重畳プレビュー画面を参照することにより、より的確に、第１面におけるページ画像と、第２面におけるページ画像との位置関係を認識できる。
【００１２】
また、上記目的を達成するために、本発明は、制御装置の制御部により実行可能なプログラムであって、前記制御部に、印刷装置により印刷媒体に印刷させる画像のプレビュー画面であって、印刷媒体の第１面におけるページ画像と、印刷媒体の第２面におけるページ画像との位置関係が明示された態様で、第１面における１又は複数のページ画像と、第２面における１又は複数のページ画像とを含むプレビュー画面を表示させると共に、第１面におけるページ画像間の空白領域の位置と、第２面におけるページ画像間の空白領域の位置とが対応するように、第１面におけるページ画像の位置と、第２面におけるページ画像の位置とを調整させる。
この構成によれば、ユーザーは、プレビュー画面を参照することにより、第１面におけるページ画像と、第２面におけるページ画像との位置関係を的確に把握できる。また、上記構成によれば、制御部により、第１面におけるページ画像とページ画像との間の空白領域の位置と、第２面におけるページ画像とページ画像との間の空白領域の位置とが対応するように、第１面におけるページ画像の位置と、第２面におけるページ画像の位置とが調整されるため、プレビュー画面には、第１面と第２面との双方の面に印刷が行われることを踏まえた適切な位置にページ画像のそれぞれが配置された状態となる。すなわち、上記構成によれば、制御部は、印刷媒体の両面に印刷される画像に関するプレビュー画面を表示する場合に、印刷媒体の両面に画像が印刷されることを反映した適切な態様でプレビュー画面を表示できる。
【００１３】
また、本発明は、前記制御部に、プレビュー画面に表示するページ画像として選択された複数のページ画像を、第１面、又は、第２面に振り分けさせ、第１面、及び、第２面におけるページ画像の位置を調整させる。
この構成によれば、制御部により、プレビュー画面に表示するページ画像として選択された複数のページ画像が、第１面、又は、第２面に振り分けられた上で、プレビュー画面が表示される。このため、プレビュー画面を、第１面と、第２面との双方の面にページ画像の印刷が行われることを踏まえた適切な画面とすることができる。
【００１４】
また、本発明は、前記制御部に、第１面におけるページ画像と、第２面におけるページ画像とが一対一の関係となるように、第１面、及び、第２面におけるページ画像の位置を調整させる。
この構成によれば、制御部により、第１面におけるページ画像と、第２面におけるページ画像とが一対一の関係となるように、第１面、及び、第２面におけるページ画像の位置が調整された上で、プレビュー画面が表示される。このため、プレビュー画面を、第１面と、第２面との双方の面にページ画像の印刷が行われることを踏まえた適切な画面とすることができる。
【００１５】
また、本発明は、前記制御部に、空白領域に対応する位置に、ページ画像間の境界を示す画像を表示させる。
この構成によれば、ユーザーは、プレビュー画面を参照することにより、第１面における空白領域と第２面における空白領域との位置関係を的確に認識できる。
【００１６】
また、本発明は、前記制御部に、ページ画像の第１面と第２面との間の移動を含むページ画像の変更を許容する態様で、ページ画像を表示させる。
この構成によれば、ユーザーは、ページ画像を第１面に印刷するか第２面に印刷するかの調整を含め、ページ画像の態様の調整を行うことができる。
【００１７】
また、本発明は、前記制御部に、第１面におけるページ画像と、第２面におけるページ画像とが重ねて表示された重畳プレビュー画面の態様で、第１面と第２面のページ画像の位置関係を明示的に表示させる。
この構成によれば、ユーザーは、重畳プレビュー画面を参照することにより、より的確に、第１面におけるページ画像と、第２面におけるページ画像との位置関係を認識できる。
【００１８】
また、本発明は、第１面と第２面の少なくともいずれかの面のページ画像を透過させて表示させる。
この構成によれば、ユーザーは、重畳プレビュー画面を参照することにより、より的確に、第１面におけるページ画像と、第２面におけるページ画像との位置関係を認識できる。
【図面の簡単な説明】
【００１９】
【図１】印刷システムの機能的構成を示す図。
【図２】制御装置、印刷装置の動作を示すフローチャート。
【図３】画像ファイル選択画面を示す図。
【図４】画像ファイル選択画面を示す図。
【図５】プレビュー画面を示す図。
【図６】プレビュー画面を示す図。
【図７】重畳プレビュー画面を示す図。
【発明を実施するための形態】
【００２０】
以下、図面を参照して本発明の実施形態について説明する。
図１は、本実施形態に係る印刷システム１の機能的構成を示すブロック図である。
図１に示すように、印刷システム１は、制御装置２（制御装置）と、ホストコンピューターと通信可能な印刷装置３とを備える。印刷システム１は、制御装置２の制御で、印刷装置３が印刷を実行するシステムである。
【００２１】
制御装置２は、印刷装置３に対してホストコンピューターとして機能するコンピューターである。
図１に示すように、制御装置２は、制御装置制御部１０（制御部）と、制御装置通信部１１と、制御装置記憶部１２と、制御装置表示部１３と、制御装置入力部１４とを備える。
制御装置制御部１０は、ＣＰＵや、ＲＯＭ、ＲＡＭ、ＡＳＩＣ、信号処理回路等を備え、制御装置２の各部を制御する。制御装置制御部１０は、例えばＣＰＵが、ＲＯＭや後述する制御装置記憶部１２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
制御装置通信部１１は、制御装置制御部１０の制御で、印刷装置３と所定の通信規格に従って通信する。制御装置２と印刷装置３との間での通信に用いられる通信規格は、有線通信に係る規格であっても、無線通信に係る規格であってもよい。有線通信に係る規格は、例えば、ＵＳＢや、ＲＳ２３２Ｃ等のＵＳＢ以外のシリアル通信規格、ＩＥＥＥ１２８４等のパラレル通信規格、イーサネット（登録商標）である。また、無線通信に係る規格は、例えば、Ｗｉ−Ｆｉ（登録商標）等の無線ＬＡＮに係る通信規格、Bluetooth（登録商標）等の近距離無線通信に係る規格である。
【００２２】
制御装置記憶部１２は、ＥＥＰＲＯＭ等の不揮発性メモリーを備え、各種データを記憶する。
制御装置２には、制御プログラム１２ａ（プログラム）がインストールされる。制御装置制御部１０は、制御プログラム１２ａを読み出して実行し、制御プログラム１２ａの機能により、後述する各種処理を実行する。なお、制御プログラム１２ａは、単一のプログラムである必要はなく、例えば、所定のアプリケーションと、印刷装置３に対応するプリンタードライバーとを含んで構成されたプログラム群であってもよい。
制御装置表示部１３は、液晶表示パネル等の表示パネルを備え、制御装置制御部１０の制御で、表示パネルに各種情報を表示する。
制御装置入力部１４は、入力装置を備え、入力装置に対する入力を検出し、制御装置制御部１０に出力する。制御装置制御部１０は、制御装置入力部１４からの入力に基づいて、入力装置に対する入力に対応する処理を実行する。本実施形態に係る制御装置２は、入力装置として、少なくとも、キーボードと、マウスとを備える。
【００２３】
印刷装置３は、ロール紙、及び、単票紙が装着可能である。単票紙には、ロール紙が切断され、ロール紙から切り離されることによって生成された用紙も含む。以下、印刷装置３に装着されるロール紙、及び、単票紙を、総称して、「印刷媒体」という。本実施形態に係る印刷装置３は、インクジェットプリンターであり、インクジェットヘッドによりドットを形成することによって画像を印刷する。特に、本実施形態に係る印刷装置３は、いわゆるＬＦＰ（Large Format Printer）であり、大型の印刷媒体を装着可能である。一例として、印刷装置３には、単票紙の場合は「Ａ０」サイズの用紙を装着可能であり、また、ロール紙の場合は用紙幅が「９００ミリ」を超える用紙を装着可能である。
【００２４】
図１に示すように、印刷装置３は、印刷装置制御部２０と、印刷装置通信部２１と、印刷装置記憶部２２と、印刷部２３とを備える。
印刷装置制御部２０は、ＣＰＵや、ＲＯＭ、ＲＡＭ、ＡＳＩＣ、信号処理回路等を備え、印刷装置３の各部を制御する。印刷装置制御部２０は、例えばＣＰＵが、ＲＯＭや後述する印刷装置記憶部２２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
印刷装置通信部２１は、印刷装置制御部２０の制御で、制御装置２と所定の通信規格に従って通信する。
印刷装置記憶部２２は、不揮発性メモリーを備え、各種データを記憶する。印刷装置３には、ファームウェア２２ａがインストールされる。印刷装置制御部２０は、ファームウェア２２ａを読み出して実行し、ファームウェア２２ａの機能により、後述する各種処理を実行する。
【００２５】
印刷部２３は、印刷装置３に装着された印刷媒体にインクを吐出してドットを形成するインクジェットヘッドや、インクジェットヘッドを走査するキャリッジ等の印刷媒体にドットを形成する要素を備える。
搬送部２４は、印刷媒体を搬送する搬送ローラーや、搬送ローラーを回転させる搬送モーター等の、印刷媒体を搬送する要素を備える。
切断部２５は、印刷媒体を切断するカッターや、カッターを移動させるカッターモーター等の、印刷媒体を切断する要素を備える。
制御装置制御部１０は、搬送部２４を制御して、搬送部２４により印刷媒体を搬送させると共に、印刷部２３を制御して、印刷媒体にドットを形成することにより、印刷媒体に画像を印刷する。また、制御装置制御部１０は、切断部２５を制御して、所定の位置で印刷媒体を切断する。
【００２６】
ところで、本実施形態では、ユーザーは、印刷装置３を用いて、印刷媒体の両面に画像を印刷させることができる。
印刷媒体の両面への画像の印刷は、以下の手順で行われる。なお、以下で示す手順は、複数、存在する手順のうちの１つである。
すなわち、印刷装置３にロール紙が装着される。次いで、印刷装置３により、ロール紙の第１面への画像の印刷が行われる。第１面とは、ロール紙が印刷装置３に装着された状態において、インクジェットヘッドと対向し、インクジェットヘッドによるドットの形成の対象となる面である。
第１面への画像の印刷後、切断部２５によりロール紙が切断され、切り離されることによって、第１面に画像が印刷された用紙が生成される。以下、ロール紙が切断され、ロール紙が切り離されることによって生成された用紙を、「生成用紙」という。
ユーザーは、生成用紙を印刷装置３に装着する。その際、ユーザーは、生成用紙の第２面が、インクジェットヘッドによるドットの形成の対象の面となるように、生成用紙を印刷装置３に装着する。第２面とは、第１面の裏側の面である。本実施形態に係る印刷装置３は、ロール紙が装着された状態で、生成用紙を印刷装置３に装着可能な構造となっている。
その後、印刷装置３は、装着された生成用紙に画像を印刷する。
以上の手順により、印刷媒体の両面に画像が印刷される。
【００２７】
ここで、印刷機能を有する装置により印刷させる画像に関するプレビュー画面を表示する機能を有するホストコンピューターが広く普及している。ユーザーは、プレビュー画面を参照することにより、印刷媒体にどのような態様で画像が印刷されるのかを認識でき、イメージできると共に、必要に応じて、編集を行って印刷媒体に印刷される画像の態様を変更する。
そして、本実施形態では、上述した手法によって、印刷装置３により印刷媒体の両面に画像が印刷される場合がある。このような場合に、制御装置２は、印刷媒体の両面に画像が印刷されることを反映した適切な態様でプレビュー画面を表示する。
以下、印刷媒体の両面に画像が印刷される場合の制御装置２、及び、印刷装置３の処理について説明する。
【００２８】
図２は、印刷媒体の両面に画像が印刷される場合の制御装置２、及び、印刷装置３の動作を示すフローチャートである。図２のフローチャートＦＡは制御装置２の動作を示し、フローチャートＦＢは印刷装置３の動作を示す。
制御装置２の制御装置制御部１０は、制御プログラム１２ａ、その他の付随するプログラム（ＡＰＩ等。）を読み出して、実行することにより、図２のフローチャートＦＡの各処理を実行する。すなわち、制御プログラム１２ａは、制御装置制御部１０に、以下で示す各処理を実行させる。
【００２９】
図２のフローチャートＦＡに示すように、ユーザーは、制御装置２の入力装置を操作して、制御プログラム１２ａを起動する。さらに、ユーザーは、入力装置を操作して、画像ファイル選択画面Ｇ１（図３、図４）の表示を指示する。ユーザーは、印刷装置３に印刷媒体の両面に画像を印刷させる場合、画像ファイル選択画面Ｇ１の表示を指示する（ステップＳ１）。
【００３０】
画像ファイル選択画面Ｇ１の表示が指示されたことを検出した場合、制御装置２の制御装置制御部１０は、制御装置表示部１３を制御して、表示パネルに画像ファイル選択画面Ｇ１を表示させる（ステップＳＡ１）。
【００３１】
図３、図４は、画像ファイル選択画面Ｇ１を示す図である。
画像ファイル選択画面Ｇ１は、印刷媒体に印刷させるページ画像（後述）に対応する画像ファイルを、１又は複数、選択する画面である。
なお、ユーザーは、事前に、所定のフォルダー（以下、「格納用フォルダー」という。）に、１又は複数の画像ファイル（画像データ）を格納する。以下では、説明の便宜のために、ユーザーが、事前に、複数の画像ファイルを格納用フォルダーに格納しているものとする。
【００３２】
図３、図４に示すように、画像ファイル選択画面Ｇ１は、選択前ファイル表示領域Ａ１ａと、選択後ファイル表示領域Ａ１ｂとを有する。
選択前ファイル表示領域Ａ１ａには、格納用フォルダーに格納された画像ファイルのそれぞれについて、画像ファイルのファイル名ＦＭ１が一覧表示される。
画像ファイルのファイル名のそれぞれの右方には、画像ファイルに記録された画像のサムネイル画像ＳＧ１が表示される。ユーザーは、サムネイル画像ＳＧ１を参照することにより、画像ファイルに記録された画像の内容を的確に認識できる。
ファイル名ＦＭ１のそれぞれの左方には、チェックを入れることができ、また、チェックを外すことができるチェックボックスＣＢ１が表示される。
【００３３】
ユーザーは、印刷媒体に印刷することを希望するページ画像のそれぞれのファイル名に対応するチェックボックスＣＢ１にチェックを入れる。次いで、ユーザーは、チェックボックスＣＢ１にチェックを入れた状態で、選択確定ボタンＳＢ１を操作する。
１の画像ファイルについて、対応するチェックボックスＣＢ１にチェックを入れ、選択確定ボタンＳＢ１を操作することにより、ユーザーによる当該１の画像ファイルの選択が完了する。
図３は、画像ファイルの選択が行われていない初期状態の画像ファイル選択画面Ｇ１を示している。
【００３４】
選択後ファイル表示領域Ａ１ｂには、上述した方法でユーザーにより選択された画像ファイルのファイル名が一覧表示される（図４参照。）。
選択後ファイル表示領域Ａ１ｂにおいて、画像ファイルのファイル名は、ブロックＢＬ１に表示される。ブロックＢＬ１は、選択後ファイル表示領域Ａ１ｂにおいて、上から下へ向かって順番に配列される。ブロックＢＬ１は、ドラッグ・アンド・ドロップをすることが可能なオブジェクトであり、ユーザーは、所定のブロックＢＬ１をドラッグ・アンド・ドロップすることによって、選択後ファイル表示領域Ａ１ｂにおける画像ファイルのファイル名の順番を入れ替えることができる。以下、選択後ファイル表示領域Ａ１ｂにおけるファイル名の順番に準じた画像ファイルの順番を、「画像順番」という。
図４は、ユーザーによって複数の画像ファイルの選択が行われた後の画像ファイル選択画面Ｇ１を示している。
【００３５】
図３、図４に示すように、画像ファイル選択画面Ｇ１は、当該画面への入力を確定し、当該画面を次の画面へ遷移することを指示する確定ボタンＢＫ１を備える。ユーザーは、画像ファイルの選択を行った後、確定ボタンＢＫ１を操作する（ステップＳ２）。
【００３６】
ユーザーにより確定ボタンＢＫ１が操作されたことを検出すると、制御装置制御部１０は、制御装置表示部１３を制御して、表示パネルにプレビュー画面Ｇ２（図５）を表示させる（ステップＳＡ２）。
【００３７】
図５は、プレビュー画面Ｇ２を示す図である。特に、図５のプレビュー画面Ｇ２は、制御装置制御部１０が、確定ボタンＢＫ１が操作されたことを検出した後に最初に表示させる画面（ユーザーにより編集が行われていない画面。）である。以下、制御装置制御部１０が最初に表示させるプレビュー画面Ｇ２を、適宜、「初期状態のプレビュー画面Ｇ２」と表現し、ユーザーによる編集が行われた後のプレビュー画面Ｇ２と区別する。
図５は、図３で示す画像ファイル選択画面Ｇ１の選択前ファイル表示領域Ａ１ａに表示された６個のファイル名に対応する６個の画像ファイルが選択された場合に表示される初期状態のプレビュー画面Ｇ２を示している。
【００３８】
図５に示すように、プレビュー画面Ｇ２は、第１面表示領域Ａ２１と、第２面表示領域Ａ２２とを有する。
第１面表示領域Ａ２１は、印刷装置３に装着されたロール紙の第１面を示す領域である。すなわち、第１面表示領域Ａ２１は、印刷装置３の第１面の正面図を、所定の縮尺で表した領域である。第１面表示領域Ａ２１の短辺、及び、長辺のそれぞれに沿って、実際の長さを表す目盛りが表示される。
第２面表示領域Ａ２２は、印刷装置３に装着されたロール紙の第２面を示す領域である。すなわち、第２面表示領域Ａ２２は、印刷装置３の第２面の正面図を、所定の縮尺で表示した領域である。第２面表示領域Ａ２２の短辺、及び、長辺のそれぞれに沿って、実際の長さを表す目盛りが表示される。
【００３９】
図５に示すように、第１面表示領域Ａ２１と、第２面表示領域Ａ２２とは、上下方向の位置が揃えられた状態で、並べて表示される。すなわち、第１面表示領域Ａ２１が示す第１面と、第２面表示領域Ａ２２が示す第２面とは、実際のロール紙の同一の領域の第１面と、第２面とである。そして、第１面表示領域Ａ２１と、第２面表示領域Ａ２２とは、実際のロール紙の長手方向の位置関係を反映して、プレビュー画面Ｇ２に並べて表示される。
【００４０】
図５に示すように、初期状態のプレビュー画面Ｇ２には、ユーザーが選択した画像ファイルのそれぞれのページ画像ＰＧ２が、所定の態様で、表示される。
ここで、ページ画像は、以下の画像を意味する。すなわち、１つのページ画像は、１つの画像ファイルに基づいてプレビュー画面Ｇ２に表示される画像、及び、１つの画像ファイルに基づいて印刷媒体に印刷される画像を意味する。
従って、プレビュー画面Ｇ２の説明において、「ページ画像」と表現する場合、第１面表示領域Ａ２１や、第２面表示領域Ａ２２に表示された画像の全体を意味するのではなく、また、プレビュー画面Ｇ２に表示された一部又は全部の画像の総称を意味するのではなく、画像ファイルに基づいて表示された個々の画像を意味する。また、印刷媒体に印刷された画像の説明において、「ページ画像」と表現する場合、印刷媒体に印刷された画像の全体を意味するのではなく、また、印刷媒体に印刷された一部又は全部の画像の総称を意味するのではなく、画像ファイルに基づいて印刷された個々の画像を意味する。
【００４１】
図５に示すように、制御装置制御部１０は、複数のページ画像ＰＧ２を、第１面表示領域Ａ２１と、第２面表示領域Ａ２２とに振り分けて表示する。図５の例では、第１面表示領域Ａ２１には、３個のページ画像ＰＧ２が表示され、第２面表示領域Ａ２２には、３個のページ画像ＰＧ２が表示される。
制御装置制御部１０は、ページ画像ＰＧ２を以下の方法で振り分ける。
すなわち、上述したように、選択後ファイル表示領域Ａ１ｂにおけるブロックＢＬ１の順番により、画像順番が定まる。そして、制御装置制御部１０は、画像順番が奇数番目の画像ファイルに対応するページ画像を第１面表示領域Ａ２１に振り分け、画像順番が偶数番目の画像ファイルに対応するページ画像を第２面表示領域Ａ２２に振り分ける。
【００４２】
図５のプレビュー画面Ｇ２は、図４で示す画像ファイル選択画面Ｇ１の内容で、当該画面への入力が確定した場合に、制御装置制御部１０によって表示される画面を示している。以下、図４の画像ファイル選択画面Ｇ１の選択後ファイル表示領域Ａ１ｂに表示されたファイル名：「ＡＡＡ」の画像ファイルを画像ファイルＦａとし、ファイル名：「ＢＢＢ」の画像ファイルを画像ファイルＦｂとし、ファイル名：「ＣＣＣ」の画像ファイルを画像ファイルＦｃとし、ファイル名：「ＤＤＤ」の画像ファイルを画像ファイルＦｄとし、ファイル名：「ＥＥＥ」の画像ファイルを画像ファイルＦｅとし、ファイル名：「ＦＦＦ」の画像ファイルを画像ファイルＦｆとする。
図４の画像ファイル選択画面Ｇ１の内容で、当該画面への入力が確定した場合、画像順番は、画像ファイルＦａ→画像ファイルＦｂ→画像ファイルＦｃ→画像ファイルＦｄ→画像ファイルＦｅ→画像ファイルＦｆとなる。この場合、図５に示すように、制御装置制御部１０は、画像順番が奇数番目の画像ファイルである画像ファイルＦａ（１番目）、画像ファイルＦｃ（３番目）、及び、画像ファイルＦｅ（５番目）を第１面表示領域Ａ２１に振り分ける。また、制御装置制御部１０は、画像順番が偶数番目の画像ファイルである画像ファイルＦｂ（２番目）、画像ファイルＦｄ（４番目）、及び、画像ファイルＦｆ（６番目）を第２面表示領域Ａ２２に振り分ける。
【００４３】
図５に示すように、制御装置制御部１０は、第１面表示領域Ａ２１に、ページ画像ＰＧ２を、画像順番が小さい順番に、上から下に向かって配置する。同様に、制御装置制御部１０は、第２面表示領域Ａ２２に、ページ画像ＰＧ２を、画像順番が小さい順番に、上から下に向かって配置する。
なお、プレビュー画面Ｇ２において、上へ向かう方向は、印刷装置３にセットされたロール紙の搬送方向に対応する。印刷装置３にセットされたロール紙は、搬送部２４により搬送方向に搬送されつつ、適宜、印刷部２３により画像が印刷される。
第１面表示領域Ａ２１と、第１面表示領域Ａ２１に表示されるページ画像ＰＧ２の領域との位置関係は、実際の印刷媒体の第１面の領域と、印刷媒体に実際に印刷されるページ画像の領域との位置関係に準じている。従って、プレビュー画面Ｇ２の内容で印刷を行うことがユーザーにより指示された場合、プレビュー画面Ｇ２に表示された第１面表示領域Ａ２１に対するページ画像ＰＧ２の相対的な位置と、実際の印刷媒体の第１面の領域に対するページ画像の相対的な位置とは、一致する。このことは、第２面表示領域Ａ２２についても同様である。この結果、プレビュー画面Ｇ２では、印刷媒体の第１面におけるページ画像の位置と、印刷媒体の第２面におけるページ画像の位置との位置関係が明示された状態で、第１面における１又は複数のページ画像ＰＧ２と、第２面における１又は複数のページ画像ＰＧ２とが表示される。すなわち、制御装置制御部１０は、印刷媒体の第１面におけるページ画像の位置と、印刷媒体の第２面におけるページ画像の位置との位置関係が明示された状態で、第１面における１又は複数のページ画像と、第２面における１又は複数のページ画像とが表示されたプレビュー画面Ｇ２を表示させる。
【００４４】
図５に示すように、第１面表示領域Ａ２１、及び、第２面表示領域Ａ２２のそれぞれにおいて、上下方向（搬送方向に対応する方向）において隣り合うページ画像ＰＧ２とページ画像ＰＧ２との間には、空白領域Ｑ２が形成される。また、プレビュー画面Ｇ２において、第１面表示領域Ａ２１における空白領域Ｑ２の位置と、第２面表示領域Ａ２２における空白領域Ｑ２の位置とは、上下方向における位置が対応した状態とされる。
詳述すると、第１面表示領域Ａ２１において、画像ファイルＦａに係るページ画像ＰＧ２ａと、画像ファイルＦｃに対応するページ画像ＰＧ２ｃとの間には、空白領域Ｑ２ａが形成される。また、第２面表示領域Ａ２２において、画像ファイルＦｂに係るページ画像ＰＧ２ｂと、画像ファイルＦｄに対応するページ画像ＰＧ２ｄとの間には、空白領域Ｑ２ｂが形成される。そして、第１面表示領域Ａ２１に係る空白領域Ｑ２ａと、第２面表示領域Ａ２２に係る空白領域Ｑ２ｂとは、上下方向において重なる部分が存在するように対応した位置に配置される。
同様に、第１面表示領域Ａ２１において、画像ファイルＦｃに対応するページ画像ＰＧ２ｃと、画像ファイルＦｅに係るページ画像ＰＧ２ｅとの間には、空白領域Ｑ２ｃが形成される。また、第２面表示領域Ａ２２において、画像ファイルＦｄに対応するページ画像ＰＧ２ｄと、画像ファイルＦｆに係るページ画像ＰＧ２ｆとの間には、空白領域Ｑ２ｄが形成される。そして、第１面表示領域Ａ２１に係る空白領域Ｑ２ｃと、第２面表示領域Ａ２２に係る空白領域Ｑ２ｄとは、上下方向において重なる部分が存在するように対応した位置に配置される。制御装置制御部１０は、初期状態のプレビュー画面Ｇ２を表示する際、第１面表示領域Ａ２１におけるページ画像ＰＧ２とページ画像ＰＧ２との間の空白領域Ｑ２の位置と、第２面表示領域Ａ２２におけるページ画像ＰＧ２とページ画像ＰＧ２との間の空白領域Ｑ２の位置とが対応するように、第１面表示領域Ａ２１におけるページ画像ＰＧ２の位置と、第２面表示領域Ａ２２におけるページ画像ＰＧ２の位置とを調整する。
【００４５】
図５に示すように、プレビュー画面Ｇ２において、位置が対応する第１面表示領域Ａ２１に係る空白領域Ｑ２と、第２面表示領域Ａ２２に係る空白領域Ｑ２とには、これら空白領域Ｑ２を貫通するように、左右方向に延在する境界線ＫＹ２（境界を示す画像）が表示される。境界線ＫＹ２は、ページ画像ＰＧ２に重ならないように、配置される。
詳述すると、第１面表示領域Ａ２１に係る空白領域Ｑ２ａと、第２面表示領域Ａ２２に係る空白領域Ｑ２ｂとは、互いに対応する位置に配置された空白領域Ｑ２である。そして、空白領域Ｑ２ａと、空白領域Ｑ２ｂとを貫通するように、左右方向に延在する境界線ＫＹ２ａが表示される。また、第１面表示領域Ａ２１に係る空白領域Ｑ２ｃと、第２面表示領域Ａ２２に係る空白領域Ｑ２ｄとは、互いに対応する位置に配置された空白領域Ｑ２である。そして、空白領域Ｑ２ｃと、空白領域Ｑ２ｄとを貫通するように、左右方向に延在する境界線ＫＹ２ｂが表示される。境界線ＫＹ２の意義については後述する。
すなわち、制御装置制御部１０は、初期状態のプレビュー画面Ｇ２の表示に際し、空白領域Ｑ２に対応する位置に、境界線ＫＹ２（境界を示す画像）を表示させる。
【００４６】
また、第１面表示領域Ａ２１に表示されたページ画像ＰＧ２と、第２面表示領域Ａ２２に表示されたページ画像ＰＧ２とのうち、プレビュー画面Ｇ２において最も下方に配置されたページ画像ＰＧ２の下方には、切断線ＣＴ２が表示される。切断線ＣＴ２は、両面印刷に際し、第１面に画像を印刷した後、切断が行われる位置を示す画像である。
【００４７】
図５に示すように、プレビュー画面Ｇ２において、第１面表示領域Ａ２１におけるページ画像ＰＧ２と、第２面表示領域Ａ２２におけるページ画像ＰＧ２とは、一対一の関係となるように、各領域に配置される。
【００４８】
詳述すると、「第１面表示領域Ａ２１において、当該領域の上端と、境界線ＫＹ２ａとで囲まれた領域Ａ２１ａ」と、「第２面表示領域Ａ２２において、当該領域の上端と、境界線ＫＹ２ａとで囲まれた領域Ａ２２ａ」とは、境界線ＫＹ２ａを区切りとして互いに対応する位置に配置された領域である。そして、第１面表示領域Ａ２１に係る領域Ａ２１ａには１つのページ画像ＰＧ２ａが配置され、第２面表示領域Ａ２２に係る領域Ａ２２ａには１つのページ画像ＰＧ２ｂが配置される。すなわち、第１面表示領域Ａ２１、及び、第２面表示領域Ａ２２において、各領域の上端と境界線ＫＹ２ａとで囲まれる領域には、それぞれ１つのページ画像ＰＧ２が一対一の関係で、配置される。
【００４９】
また、「第１面表示領域Ａ２１において、境界線ＫＹ２ａと境界線ＫＹ２ｂとで囲まれた領域Ａ２１ｂ」と、「第２面表示領域Ａ２２において、境界線ＫＹ２ａと境界線ＫＹ２ｂとで囲まれた領域Ａ２２ｂ」とは、境界線ＫＹ２ａ及び境界線ＫＹ２ｂを区切りとして互いに対応する位置に配置された領域である。そして、第１面表示領域Ａ２１に係る領域Ａ２１ｂには１つのページ画像ＰＧ２ｃが配置され、第２面表示領域Ａ２２に係る領域Ａ２２ｂには１つのページ画像ＰＧ２ｄが配置される。すなわち、第１面表示領域Ａ２１、及び、第２面表示領域Ａ２２において、境界線ＫＹ２ａと境界線ＫＹ２ｂとで囲まれる領域には、それぞれ１つのページ画像ＰＧ２が一対一の関係で、配置される。
【００５０】
また、「第１面表示領域Ａ２１において、境界線ＫＹ２ｂと切断線ＣＴ２とで囲まれた領域Ａ２１ｃ」と、「第２面表示領域Ａ２２において、境界線ＫＹ２ｂと切断線ＣＴ２とで囲まれた領域Ａ２２ｃ」とは、境界線ＫＹ２ｂ及び切断線ＣＴ２を区切りとして互いに対応する位置に配置された領域である。そして、第１面表示領域Ａ２１に係る領域Ａ２１ｃには１つのページ画像ＰＧ２ｅが配置され、第２面表示領域Ａ２２に係る領域Ａ２２ｃには１つのページ画像ＰＧ２ｆが配置される。すなわち、第１面表示領域Ａ２１、及び、第２面表示領域Ａ２２において、境界線ＫＹ２ｂと切断線ＣＴ２とで囲まれる領域には、それぞれ１つのページ画像ＰＧ２が一対一の関係で、配置される。
すなわち、制御装置制御部１０は、初期状態のプレビュー画面Ｇ２の表示に際し、第１面表示領域Ａ２１におけるページ画像ＰＧ２と、第２面表示領域Ａ２２におけるページ画像ＰＧ２とが一対一の関係となるように、第１面表示領域Ａ２１、及び、第２面表示領域Ａ２２におけるページ画像ＰＧ２の位置を調整する。
【００５１】
以上の態様で初期状態のプレビュー画面Ｇ２が表示されるため、以下の効果を奏する。
すなわち、プレビュー画面Ｇ２の内容で印刷を行うことがユーザーにより指示された場合、印刷媒体の第１面には、プレビュー画面Ｇ２の第１面表示領域Ａ２１におけるページ画像ＰＧ２の態様と同一の態様で、ページ画像が印刷される。同様に、印刷媒体の第２面には、プレビュー画面Ｇ２の第２面表示領域Ａ２２におけるページ画像ＰＧ２の態様と同一の態様で、ページ画像が印刷される。
そして、初期状態のプレビュー画面Ｇ２における第１面表示領域Ａ２１におけるページ画像ＰＧ２の態様、及び、第２面表示領域Ａ２２におけるページ画像ＰＧ２の態様は、ユーザーが、実際に印刷媒体の第１面、第２面に印刷されるページ画像の態様として希望する態様であるものと想定される。理由は、以下である。
【００５２】
すなわち、プレビュー画面Ｇ２において、第１面表示領域Ａ２１における空白領域Ｑ２の位置と、第２面表示領域Ａ２２における空白領域Ｑ２の位置とは、上下方向（搬送方向に対応する方向。）における位置が対応した状態である。また、対応する位置に配置された空白領域Ｑ２に対応して、境界線ＫＹ２が表示される。また、図５に示すように、プレビュー画面Ｇ２において、第１面表示領域Ａ２１におけるページ画像ＰＧ２と、第２面表示領域Ａ２２におけるページ画像ＰＧ２とは、一対一の関係となるように、各領域に配置される。
この構成のため、印刷媒体の第１面及び第２面にページ画像が印刷された状態において、境界線ＫＹ２で印刷媒体を切断した場合、切断により生成される生成用紙には、第１面に、１つのページ画像ＰＧ２が不足なく印刷され、第２面に、１つのページ画像ＰＧ２が不足なく印刷された状態となる。ここで、第１面、第２面の両面に複数のページ画像の印刷を行うことを希望するユーザーは、第１面、第２面の双方に、ページ画像が１つずつ印刷された生成用紙を生成することを求めている場合が多いことが事前の調査等により判明している。従って、初期状態のプレビュー画面Ｇ２における第１面表示領域Ａ２１におけるページ画像ＰＧ２の態様、及び、第２面表示領域Ａ２２におけるページ画像ＰＧ２の態様は、ユーザーが、実際に印刷媒体の第１面、第２面に印刷されるページ画像の態様として希望する態様であるものと想定される。
【００５３】
ここで、図５に示すように、プレビュー画面Ｇ２において、境界線ＫＹ２の左方には、チェックボックスＣＢ２が表示される。ユーザーは、境界線ＫＹ２での印刷媒体の切断を望む場合、チェックボックスＣＢ２にチェックを入れる。後述するように、１の境界線ＫＹ２について、チェックボックスＣＢ２にチェックが入れられた場合、印刷媒体への印刷の処理が行われる際に、自動で、境界線ＫＹ２に対応する位置での切断が行われる。
【００５４】
ここで、ユーザーは、プレビュー画面Ｇ２を編集することができる。
プレビュー画面Ｇ２の編集は、プレビュー画面Ｇ２に表示されたページ画像ＰＧ２の態様の変更を含む。ページ画像ＰＧ２の態様の変更は、ページ画像ＰＧ２の位置の移動、ページ画像ＰＧ２の拡大、縮小、ページ画像ＰＧ２の回転、ページ画像ＰＧ２の削除を含む。特に、ページ画像ＰＧ２の位置の移動は、第１面表示領域Ａ２１と、第２面表示領域Ａ２２との間での位置の移動を含む。すなわち、ユーザーは、初期状態のプレビュー画面Ｇ２において、第１面表示領域Ａ２１に表示されていたページ画像ＰＧ２を、第２面表示領域Ａ２２に移動することができ、逆に、第２面表示領域Ａ２２に表示されていたページ画像ＰＧ２を、第１面表示領域Ａ２１に移動することができる。
プレビュー画面Ｇ２の編集は、境界線ＫＹ２の上下方向（搬送方向に対応する方向。）における位置の移動、境界線ＫＹ２の追加、境界線ＫＹ２の削除を含む。
すなわち、制御装置制御部１０は、ページ画像ＰＧ２の第１面表示領域Ａ２１と第２面表示領域Ａ２２との間の移動を含むページ画像ＰＧ２の態様を変更可能な状態で、ページ画像ＰＧ２を表示する。
ユーザーは、プレビュー画面Ｇ２を編集することによって、印刷媒体に印刷されるページ画像の態様、及び、切断位置を調整する。ただし、上述したように、初期状態のプレビュー画面Ｇ２の内容は、ユーザーが望む内容であるものと想定される。従って、ユーザーが編集に要する作業の負担を軽減できる。
【００５５】
図６は、図５で示す初期状態のプレビュー画面Ｇ２について、編集が行われた後のプレビュー画面Ｇ２の一例を示す。
図６では、初期状態のプレビュー画面Ｇ２において、第１面表示領域Ａ２１に表示されていたページ画像ＰＧ２ｃが、第２面表示領域Ａ２２に移動されている。また、境界線ＫＹ２ｂが削除されている。また、境界線ＫＹ２ａの位置が移動されている。
【００５６】
図５に示すように、プレビュー画面Ｇ２は、プレビュー画面Ｇ２の内容を確定し、プレビュー画面Ｇ２の内容での印刷を指示する確定ボタンＢＫ２を有する。ユーザーは、プレビュー画面Ｇ２の内容での印刷を指示する場合、確定ボタンＢＫ２を操作する。
また、プレビュー画面Ｇ２は、重畳プレビュー画面Ｇ３（図７）の表示を指示する表示ボタンＢＢ２を有する。ユーザーは、重畳プレビュー画面Ｇ３の表示を望む場合、表示ボタンＢＢ２を操作する。
【００５７】
図２のフローチャートＦＡに示すように、制御装置制御部１０は、プレビュー画面Ｇ２を表示させた後、表示ボタンＢＢ２が操作されたか否かを監視しつつ（ステップＳＡ３）、確定ボタンＢＫ２が操作されたか否かを監視する（ステップＳＡ４）。
表示ボタンＢＢ２が操作されたことを検出した場合（ステップＳＡ３：ＹＥＳ）、制御装置制御部１０は、制御装置表示部１３を制御して、表示パネルに重畳プレビュー画面Ｇ３を表示させる（ステップＳＡ５）。
【００５８】
図７は、重畳プレビュー画面Ｇ３を示す図である。特に、図７は、図５に示すプレビュー画面Ｇ２の内容で表示ボタンＢＢ２が操作された場合に表示される重畳プレビュー画面Ｇ３を示す。
図５と、図７との比較で明らかなとおり、重畳プレビュー画面Ｇ３は、表示ボタンＢＢ２が操作される直前における第１面表示領域Ａ２１と、第２面表示領域Ａ２２とが重ねて表示された重畳表示領域Ａ３を有する。
図７に示すように、重畳プレビュー画面Ｇ３では、プレビュー画面Ｇ２の第１面表示領域Ａ２１に表示されていたページ画像ＰＧ２と、プレビュー画面Ｇ２の第２面表示領域Ａ２２に表示されていたページ画像ＰＧ２とが、重畳表示領域Ａ３で重ねて表示される。また、重畳プレビュー画面Ｇ３では、境界線ＫＹ２、及び、切断線ＣＴ２が、プレビュー画面Ｇ２における位置と同一の位置に表示される。
すなわち、制御装置制御部１０は、第１面におけるページ画像の位置と、第２面におけるページ画像の位置との位置関係が明示された状態で、第１面におけるページ画像ＰＧ２と、第２面におけるページ画像ＰＧ２とが重ねて表示された重畳プレビュー画面Ｇ３を表示させる。
【００５９】
以上のように、重畳プレビュー画面Ｇ３では、重畳表示領域Ａ３に、第１面に係るページ画像ＰＧ２と、第２面に係るページ画像ＰＧ２との双方が、互いの画像の位置関係が明示された状態で重ねて表示される。このため、ユーザーは、重畳プレビュー画面Ｇ３を参照することにより、直感的に、的確に、ページ画像が印刷媒体に印刷された場合の第１面におけるページ画像と、第２面におけるページ画像との位置関係を認識できる。なお、第１面に係るページ画像ＰＧ２と、第２面に係るページ画像ＰＧ２の少なくともいずれかの面を透過させて表示させてもよい。本態様によってページ画像ＰＧ２を重畳させて表示させる場合でも、両面印刷時の表裏の対応をイメージしやすくすることができる。
【００６０】
図７に示すように、重畳プレビュー画面Ｇ３は、戻るボタンＢＣ３を有する。戻るボタンＢＣ３は、プレビュー画面Ｇ２の表示を指示するボタンである。ユーザーは、重畳プレビュー画面Ｇ３の内容を確認し、あらためてプレビュー画面Ｇ２を表示させる場合、戻るボタンＢＣ３を操作する。
【００６１】
図２のフローチャートＦＡに示すように、重畳プレビュー画面Ｇ３を表示した後、制御装置制御部１０は、戻るボタンＢＣ３が操作されたか否かを監視する（ステップＳＡ６）。戻るボタンＢＣ３が操作されたことを検出した場合（ステップＳＡ６：ＹＥＳ）、制御装置制御部１０は、処理手順をステップＳＡ２へ移行し、プレビュー画面Ｇ２を表示させる。
【００６２】
一方、ステップＳＡ４で、確定ボタンＢＫ２が操作されたことを検出した場合（ステップＳＡ４：ＹＥＳ）、制御装置制御部１０は、第１面印刷データ、及び、第２面印刷データを生成する（ステップＳＡ７）。
なお、確定ボタンＢＫ２が操作された後も、制御装置制御部１０は、プレビュー画面Ｇ２を継続して表示する。
ステップＳＡ７の処理について詳述すると、制御装置制御部１０は、確定ボタンＢＫ２が操作されたときの第１面表示領域Ａ２１の内容に基づいて、第１面表示領域Ａ２１におけるページ画像ＰＧ２の態様と同一の態様で印刷媒体の第１面へのページ画像の印刷を指示する第１面印刷データを生成する。制御装置制御部１０は、第１面表示領域Ａ２１におけるページ画像ＰＧ２に対応する画像ファイルに基づいて、制御プログラム１２ａの機能により、第１面印刷データを生成する。
第１面印刷データには、切断線ＣＴ２に対応する位置で切断を行わせる制御コマンドが含まれる。また、第１面表示領域Ａ２１における空白領域や、前端部、高端部の余白について適切な搬送を行わせる制御コマンドが含まれる。また、第１面印刷データには、印刷させるページ画像に対応するラスターデータが含まれる。すなわち、第１面印刷データには、第１面表示領域Ａ２１におけるページ画像ＰＧ２の態様と同一の態様で印刷媒体の第１面にページ画像を印刷させるために必要な情報が適切に含まれる。
さらに、制御装置制御部１０は、確定ボタンＢＫ２が操作されたときの第２面表示領域Ａ２２の内容に基づいて、第２面表示領域Ａ２２におけるページ画像ＰＧ２の態様と同一の態様で印刷媒体の第２面へのページ画像の印刷を指示する第２面印刷データを生成する。制御装置制御部１０は、第２面表示領域Ａ２２におけるページ画像ＰＧ２に対応する画像ファイルに基づいて、制御プログラム１２ａの機能により、第２面印刷データを生成する。
第２面印刷データには、チェックボックスＣＢにチェックが入れられた境界線ＫＹ２で、印刷媒体を切断することを指示する制御コマンドが含まれる。この他、第２面印刷データには、第２面表示領域Ａ２２におけるページ画像ＰＧ２の態様と同一の態様で印刷媒体の第２面にページ画像を印刷させるために必要な情報が適切に含まれる。
【００６３】
次いで、制御装置制御部１０は、制御装置通信部１１を制御して、ステップＳＡ７で生成した第１面印刷データを印刷装置３に送信する（ステップＳＡ８）。
【００６４】
図２のフローチャートＦＢに示すように、印刷装置３の印刷装置制御部２０は、印刷装置通信部２１を制御して、第１面印刷データを受信する（ステップＳＢ１）。
次いで、印刷装置制御部２０は、第１面印刷データに基づく処理を開始する（ステップＳＢ２）。印刷装置制御部２０は、ステップＳＢ１で受信した第１面印刷データに基づいて、印刷部２３、及び、搬送部２４を制御して、ロール紙の第１面への画像の印刷を実行する。また、印刷装置制御部２０は、切断部２５を制御して、切断線ＣＴ２に対応する位置で、ロール紙を切断する。
【００６５】
第１面印刷データに基づく処理の開始後、制御装置制御部１０と、印刷装置制御部２０とは、進捗状況監視処理を実行する（ステップＳＡ９、ステップＳＢ３）。進捗状況監視処理において、印刷装置制御部２０は、１つのページ画像の印刷が完了する度に、ページ画像の印刷が完了したことを制御装置制御部１０に通知する。上述したように、制御装置制御部１０は、確定ボタンＢＫ２が操作された後も継続して表示する。そして、制御装置制御部１０は、１のページ画像の印刷が完了したことの通知があった場合、プレビュー画面Ｇ２に表示されたページ画像ＰＧ２のうち、印刷が完了したページ画像ＰＧ２について、印刷が完了したことを表す画像を対応付けて表示する。例えば、制御装置制御部１０は、「印刷済み」という文言を含む画像を、ページ画像ＰＧ２に重ねて表示する。
【００６６】
図２のフローチャートＦＢに示すように、印刷装置制御部２０は、第１面印刷データに基づく処理を開始した後、第１面印刷データに基づく処理が完了したか否かを監視する（ステップＳＢ４）。第１面印刷データに基づく処理が完了した場合、切断線ＣＴ２に対応する位置でロール紙が切断され、１又は複数のページ画像が第１面に印刷された生成用紙が生成された状態である。
【００６７】
第１面印刷データに基づく処理が完了した場合（ステップＳＢ４：ＹＥＳ）、印刷装置制御部２０は、処理が完了したことをユーザーに報知する（ステップＳＢ５）。例えば、印刷装置制御部２０は、印刷装置３が表示パネルや、ＬＥＤを有する場合は、これらを介してユーザーに報知する。また例えば、印刷装置制御部２０は、処理が完了したことを示す情報を制御装置２に送信し、制御装置２の制御装置制御部１０に、処理が完了したことを示す情報を表示させる。
【００６８】
ユーザーは、第１面印刷データの処理の完了に応じて生成された生成用紙を、印刷装置３に装着する。上述したように、ユーザーは、生成用紙の第２面が印刷の対象となる面となるように、印刷装置３に生成用紙を装着する。なお、生成用紙の装着はユーザーにより適切に行われるものとし、また、装着された生成処理の頭出し処理は印刷装置３により適切に行われるものとする。
【００６９】
図２のフローチャートＦＡに示すように、生成用紙を印刷装置３に装着した後、ユーザーは、制御装置２の入力装置を操作して、第２面への印刷を指示する（ステップＳ３）。
第２面への印刷の指示があったことを検出すると、制御装置制御部１０は、制御装置通信部１１を制御して、第２面印刷データに送信する（ステップＳＡ１０）。
【００７０】
図２のフローチャートＦＢに示すように、印刷装置３の印刷装置制御部２０は、印刷装置通信部２１を制御して、第２面印刷データを受信する（ステップＳＢ６）。
次いで、印刷装置制御部２０は、第２面印刷データに基づく処理を開始する（ステップＳＢ７）。印刷装置制御部２０は、ステップＳＢ６で受信した第２面印刷データに基づいて、印刷部２３、及び、搬送部２４を制御して、ロール紙の第２面への画像の印刷を実行する。また、印刷装置制御部２０は、切断部２５を制御して、チェックボックスＣＢ２にチェックが入れられた境界線ＫＹ２に対応する位置で、ロール紙を切断する。
【００７１】
第２面印刷データに基づく処理の開始後、制御装置制御部１０と、印刷装置制御部２０とは、進捗状況監視処理を実行する（ステップＳＡ１１、ステップＳＢ８）。
図２のフローチャートＦＢに示すように、印刷装置制御部２０は、第２面印刷データに基づく処理を開始した後、第２面印刷データに基づく処理が完了したか否かを監視する（ステップＳＢ９）。第２面印刷データに基づく処理が完了した場合、チェックボックスＣＢ２にチェックが入れられた境界線ＫＹ２に対応する位置でロール紙が切断された状態である。
【００７２】
第２面印刷データに基づく処理が完了した場合（ステップＳＢ９：ＹＥＳ）、印刷装置制御部２０は、処理が完了したことをユーザーに報知する（ステップＳＢ１０）。
【００７３】
以上説明したように、本実施形態では、制御装置２は、印刷装置３により印刷媒体に印刷させる画像のプレビュー画面Ｇ２を表示させる制御装置制御部１０（制御部）を備える。制御装置制御部１０は、印刷媒体の第１面におけるページ画像の位置と、印刷媒体の第２面におけるページ画像の位置との位置関係が明示された態様で、第１面における１又は複数のページ画像と、第２面における１又は複数のページ画像とを含むプレビュー画面Ｇ２を表示させる。制御装置制御部１０は、第１面におけるページ画像間の空白領域の位置と、第２面におけるページ画像間の空白領域の位置とが対応するように、第１面におけるページ画像の位置と、第２面におけるページ画像の位置とを調整する。
この構成によれば、ユーザーは、プレビュー画面Ｇ２を参照することにより、第１面におけるページ画像と、第２面におけるページ画像との位置関係を的確に把握できる。また、上記構成によれば、制御装置制御部１０により、第１面におけるページ画像とページ画像との間の空白領域の位置と、第２面におけるページ画像とページ画像との間の空白領域の位置とが対応するように、第１面におけるページ画像の位置と、第２面におけるページ画像の位置とが調整されるため、プレビュー画面Ｇ２には、第１面と第２面との双方の面に印刷が行われることを踏まえた適切な位置にページ画像のそれぞれが配置された状態となる。すなわち、上記構成によれば、制御装置制御部１０は、印刷媒体の両面に印刷される画像に関するプレビュー画面Ｇ２を表示する場合に、印刷媒体の両面に画像が印刷されることを反映した適切な態様でプレビュー画面を表示できる。
【００７４】
また、本実施形態では、制御装置制御部１０は、プレビュー画面Ｇ２に表示するページ画像として選択された複数のページ画像を、第１面、又は、第２面に振り分け、第１面、及び、第２面におけるページ画像の位置を調整する。
この構成によれば、制御装置制御部１０により、プレビュー画面Ｇ２に表示するページ画像として選択された複数のページ画像が、第１面、又は、第２面に振り分けられた上で、プレビュー画面Ｇ２が表示される。このため、プレビュー画面Ｇ２を、第１面と、第２面との双方の面にページ画像の印刷が行われることを踏まえた適切な画面とすることができる。
【００７５】
また、本実施形態では、制御装置制御部１０は、第１面におけるページ画像と、第２面におけるページ画像とが一対一の関係となるように、第１面、及び、第２面におけるページ画像の位置を調整する。
この構成によれば、制御装置制御部１０により、第１面におけるページ画像と、第２面におけるページ画像とが一対一の関係となるように、第１面、及び、第２面におけるページ画像の位置が調整された上で、プレビュー画面Ｇ２が表示される。このため、プレビュー画面Ｇ２を、第１面と、第２面との双方の面にページ画像の印刷が行われることを踏まえた適切な画面とすることができる。
【００７６】
また、本実施形態では、制御装置制御部１０は、空白領域に対応する位置に、ページ画像間の境界を示す画像を表示させる。
この構成によれば、ユーザーは、プレビュー画面Ｇ２を参照することにより、第１面における空白領域と第２面における空白領域との位置関係を的確に認識できる。
【００７７】
また、本実施形態では、制御装置制御部１０は、ページ画像の第１面と第２面との間の移動を含むページ画像の変更を許容する態様で、ページ画像を表示する。
この構成によれば、ユーザーは、ページ画像を第１面に印刷するか第２面に印刷するかの調整を含め、ページ画像の態様の調整を行うことができる。
【００７８】
また、本実施形態では、制御装置制御部１０は、第１面におけるページ画像と、第２面におけるページ画像とが重ねて表示された重畳プレビュー画面Ｇ３の態様で、第１面と第２面のページ画像の位置関係を明示的に表示させる。
この構成によれば、ユーザーは、重畳プレビュー画面Ｇ３を参照することにより、より的確に、第１面におけるページ画像と、第２面におけるページ画像との位置関係を認識できる。
【００７９】
また、本実施形態の重畳プレビュー画面Ｇ３において、第１面に係るページ画像ＰＧ２と、第２面に係るページ画像ＰＧ２の少なくともいずれかの面を透過させて表示させてもよい。
この構成によれば、本態様によってページ画像ＰＧ２を重畳させて表示させる場合でも、両面印刷時の表裏の対応をイメージしやすくすることができる。すなわち、上記構成によれば、ユーザーは、重畳プレビュー画面Ｇ３を参照することにより、より的確に、第１面におけるページ画像と、第２面におけるページ画像との位置関係を認識できる。
【００８０】
なお、上述した実施の形態は、あくまでも本発明の一態様を示すものであり、本発明の範囲内で任意に変形および応用が可能である。
上述した実施形態では、制御装置制御部１０は、自装置（制御装置２）が備える表示手段（表示パネル）に、プレビュー画面Ｇ２、重畳プレビュー画面Ｇ３を表示させる構成であった。この点に関し、制御装置制御部１０が、自装置ではない他の装置の表示手段に、各種画面を表示させる構成でもよい。自装置ではない他の装置は、印刷装置３であってもよい。
また、上述した実施形態では、プレビュー画面Ｇ２と、重畳プレビュー画面Ｇ３とは、異なる独立した画面であった。この点に関し、１つの画面に、プレビュー画面Ｇ２に相当する画像と、重畳プレビュー画面Ｇ３に相当する画像が表示される構成でもよい。
また、上述した実施形態では、印刷装置３がＬＦＰである場合を例として実施形態を説明したが、印刷装置３は、ＬＦＰに限らない。また、印刷装置３がインクジェットプリンターである場合を例として実施形態を説明したが、印刷装置３の印刷方式はインクジェット方式に限らない。すなわち、印刷装置３は、印刷媒体に印刷する機能を有する装置であればよい。
また、図を用いて説明した機能ブロックは、本願発明を理解容易にするために、各装置の機能構成を主な処理内容に応じて分類して示した概略図である。各装置の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
また、図で示したフローチャートの処理単位は、各装置の処理を理解容易にするために、主な処理内容に応じて分割したものである。処理単位の分割の仕方や名称によって、本願発明が制限されることはない。各装置の処理は、処理内容に応じて、さらに多くの処理単位に分割することもできる。また、１つの処理単位がさらに多くの処理を含むように分割することもできる。また、同様の処理が行えれば、上記のフローチャートの処理順序も、図示した例に限られるものではない。
【符号の説明】
【００８１】
１…印刷システム、２…制御装置、３…印刷装置、１０…制御装置制御部（制御部）、１１…制御装置通信部、１２…制御装置記憶部、１２ａ…制御プログラム、１３…制御装置表示部、１４…制御装置入力部、２０…印刷装置制御部、２１…印刷装置通信部、２２…印刷装置記憶部、２２ａ…ファームウェア、２３…印刷部、２４…搬送部、２５…切断部、Ｇ１…画像ファイル選択画面、Ｇ２…プレビュー画面、Ｇ３…重畳プレビュー画面。
【図１】
2018154094.tif 000003
【図２】
2018154094.tif 000004
【図３】
2018154094.tif 000005
【図４】
2018154094.tif 000006
【図５】
2018154094.tif 000007
【図６】
2018154094.tif 000008
【図７】
2018154094.tif 000009